(57)【特許請求の範囲】
【請求項１】
第１の偏光板と、同一面内に複数の遅相軸方向を有し、遅相軸方向が一致する領域で形成されたパターン領域が設けられた第１のパターン位相差膜と、を備える第１の積層体、および、
第２の偏光板と、同一面内に複数の遅相軸方向を有し、遅相軸方向が一致する領域で形成されたパターン領域が設けられた第２のパターン位相差膜と、を備える第２の積層体、を有し、
前記第１の積層体の前記第１のパターン位相差膜の前記パターン領域の形状と、前記第２の積層体の前記第２のパターン位相差膜の前記パターン領域の形状とが、互いに異なることを特徴とする表示部材。
【請求項２】
前記第１の積層体と前記第２の積層体とを積層した状態において、
前記第１の積層体の前記第１のパターン位相差膜の前記パターン領域と前記第２の積層体の前記第２のパターン位相差膜の前記パターン領域とが重複して形成される複数の重複領域を有し、かつ、前記重複領域は、互いにレタデーション値が異なる複数種を有する、請求項１に記載の表示部材。
【請求項３】
前記重複領域として、５５０ｎｍにおけるレタデーション値が０ｎｍ±１０ｎｍとなる前記重複領域を有する請求項２に記載の表示部材。
【請求項４】
前記重複領域として、５５０ｎｍにおけるレタデーション値が２６０ｎｍ±４０ｎｍとなる前記重複領域を有する請求項２または３に記載の表示部材。
【請求項５】
前記重複領域として、５５０ｎｍにおけるレタデーション値が４００ｎｍ以上となる前記重複領域を有する請求項２〜４のいずれか１項に記載の表示部材。
【請求項６】
前記第１の積層体と前記第２の積層体とを積層した状態において、
前記第１の積層体の前記第１のパターン位相差膜の前記パターン領域の境界と、前記第２の積層体の前記第２のパターン位相差膜の前記パターン領域の境界とが、複数箇所、交差する請求項１〜５のいずれか１項に記載の表示部材。
【請求項７】
前記第１の積層体と前記第２の積層体とが、１ｍｍ以上の間隔を有して積層される請求項１〜６のいずれか１項に記載の表示部材。
【請求項８】
前記第１の積層体と前記第２の積層体とを、面方向に相対的に移動する移動手段を有する請求項１〜７のいずれか１項に記載の表示部材。
【請求項９】
前記第１の積層体の前記第１のパターン位相差膜が、２種の前記パターン領域を有し、かつ、前記２種のパターン領域の遅相軸が直交し、
前記第２の積層体の前記第２のパターン位相差膜が、２種の前記パターン領域を有し、かつ、前記２種のパターン領域の遅相軸が直交する請求項１〜８のいずれか１項に記載の表示部材。
【請求項１０】
前記第１の積層体が、前記第１のパターン位相差膜の前記第１の偏光板とは逆側の面に、第１の透明支持体を備え、
前記第２の積層体が、前記第２のパターン位相差膜の前記第２の偏光板とは逆側の面に、第２の透明支持体を備える請求項１〜９のいずれか１項に記載の表示部材。
【請求項１１】
前記第１の積層体の前記第１の透明支持体、および、前記第２の積層体の前記第２の透明支持体が、面内に位相差を有し、
前記第１の積層体と前記第２の積層体とを積層した状態において、前記第１の積層体の前記第１の透明支持体の遅相軸と前記第２の積層体の前記第２の透明支持体の遅相軸とが直交する請求項１０に記載の表示部材。
【請求項１２】
前記第１の積層体の前記第１の偏光板の透過軸と前記第２の積層体の前記第２の偏光板の透過軸とを直交した状態で、前記第１の積層体と前記第２の積層体とが積層される請求項１〜１１のいずれか１項に記載の表示部材。
【請求項１３】
前記第１の積層体の前記第１の偏光板の透過軸と前記第２の積層体の前記第２の偏光板の透過軸とが平行な状態で、前記第１の積層体と前記第２の積層体とが積層される請求項１〜１１のいずれか１項に記載の表示部材。
【請求項１４】
前記第１の積層体が、前記第１のパターン位相差膜と共に前記第１の偏光板を挟む位置に、同一面内に複数の遅相軸方向を有し、遅相軸方向が一致する領域で形成されたパターン領域が設けられた第３のパターン位相差膜を有し、
前記第２の積層体が、前記第２のパターン位相差膜と共に前記第２の偏光板を挟む位置に、同一面内に複数の遅相軸方向を有し、遅相軸方向が一致する領域で形成されたパターン領域が設けられた第４のパターン位相差膜を有し、
前記第１の積層体の前記第３のパターン位相差膜の前記パターン領域の形状と、前記第２の積層体の前記第４のパターン位相差膜の前記パターン領域の形状とが、互いに異なる請求項１〜１３のいずれか１項に記載の表示部材。
【請求項１５】
前記第１の積層体における、前記第１のパターン位相差膜の前記パターン領域の形状と前記第３のパターン位相差膜の前記パターン領域の形状とが互いに異なる構成、および、
前記第２の積層体における、前記第２のパターン位相差膜の前記パターン領域の形状と前記第４のパターン位相差膜の前記パターン領域の形状とが互いに異なる構成の、少なくとも一方の構成を有する請求項１４に記載の表示部材。
【発明の詳細な説明】
【技術分野】
【０００１】
本発明は、絵柄および文字等の画像を表示する新規な表示部材に関する。
【背景技術】
【０００２】
装飾、意匠性の向上、娯楽性の向上、宣伝、告知、広告、および、各種の情報の提供等を目的として、透明なドア、透明な窓、透明な壁、および、透明な間仕切り等の表面に、透明あるいは不透明なインクおよびフィルム等を用いて、絵柄および文字等の画像を表示する表示部材が、各種、提案されている。【０００３】
例えば、特許文献１には、透明ガラス板の片面に、任意の形状の半透明あるいは不透明の有色または無色のパターン膜を形成し、他方の面にはパターン膜に対面して、より広い範囲に半透明反射膜を形成した装飾ガラス板が記載されている。
この装飾ガラス板によれば、透明ガラスの一面に形成したパターンを他の面に陰影として投射することで、立体感に富んだ表示を行うことができる。【０００４】
特許文献２には、シート素材の所定部に、光の透過を規制する所定パターンの遮光部を設け、この遮光部の所定域に、透明または打ち抜きによる所定パターンの光透過部を形成した表示シートが記載されている。
この表示シートは、例えば地下鉄の窓ガラスに利用した際に、光が車窓を通過する毎に遮光部の中の光透過部のパターンが表示されるので、人目を引き易い画像表示を行うことができる。
【先行技術文献】
【特許文献】
【０００５】
【特許文献１】実開平３−４５９３２号公報
【特許文献２】特開平６−１２０１７号公報
【発明の概要】
【発明が解決しようとする課題】
【０００６】
これらの特許文献に記載される表示部材を初めとして、表示部材は、通常、インクおよび着色されたフィルムなど、染料および顔料等の色材を用いて画像を表示している。【０００７】
本発明の目的は、染料および顔料等の色材を用いずに画像を表示する、新しい表示部材を提供することにある。
【課題を解決するための手段】
【０００８】
この目的を達成するために、本発明の表示部材は、第１の偏光板と、同一面内に複数の遅相軸方向を有し、遅相軸方向が一致する領域で形成されたパターン領域が設けられた第１のパターン位相差膜と、を備える第１の積層体、および、
第２の偏光板と、同一面内に複数の遅相軸方向を有し、遅相軸方向が一致する領域で形成されたパターン領域が設けられた第２のパターン位相差膜と、を備える第２の積層体、を有し、
第１の積層体の第１のパターン位相差膜のパターン領域の形状と、第２の積層体の第２のパターン位相差膜のパターン領域の形状とが、互いに異なることを特徴とする表示部材を提供する。【０００９】
このような本発明の表示部材において、第１の積層体と第２の積層体とを積層した状態において、第１の積層体の第１のパターン位相差膜のパターン領域と第２の積層体の第２のパターン位相差膜のパターン領域とが重複して形成される複数の重複領域を有し、かつ、重複領域は、互いにレタデーション値が異なる複数種を有する、のが好ましい。
また、重複領域として、５５０ｎｍにおけるレタデーション値が０ｎｍ±１０ｎｍとなる重複領域を有するのが好ましい。
また、重複領域として、５５０ｎｍにおけるレタデーション値が２６０ｎｍ±４０ｎｍとなる重複領域を有するのが好ましい。
また、重複領域として、５５０ｎｍにおけるレタデーション値が４００ｎｍ以上となる重複領域を有するのが好ましい。
また、第１の積層体と第２の積層体とを積層した状態において、第１の積層体の第１のパターン位相差膜のパターン領域の境界と、第２の積層体の第２のパターン位相差膜のパターン領域の境界とが、複数箇所、交差するのが好ましい。
また、第１の積層体と第２の積層体とが、１ｍｍ以上の間隔を有して積層されるのが好ましい。
また、第１の積層体と第２の積層体とを、面方向に相対的に移動する移動手段を有するのが好ましい。
また、第１の積層体の第１のパターン位相差膜が、２種のパターン領域を有し、かつ、２種のパターン領域の遅相軸が直交し、第２の積層体の第２のパターン位相差膜が、２種のパターン領域を有し、かつ、２種のパターン領域の遅相軸が直交するのが好ましい。
また、第１の積層体が、第１のパターン位相差膜の第１の偏光板とは逆側の面に、第１の透明支持体を備え、第２の積層体が、第２のパターン位相差膜の第２の偏光板とは逆側の面に、第２の透明支持体を備えるのが好ましい。
また、第１の積層体の第１の透明支持体、および、第２の積層体の第２の透明支持体が、面内に位相差を有し、第１の積層体と第２の積層体とを積層した状態において、第１の積層体の第１の透明支持体の遅相軸と第２の積層体の第２の透明支持体の遅相軸とが直交するのが好ましい。
また、第１の積層体の第１の偏光板の透過軸と第２の積層体の第２の偏光板の透過軸とを直交した状態で、第１の積層体と第２の積層体とが積層されるのが好ましい。
また、第１の積層体の第１の偏光板の透過軸と第２の積層体の第２の偏光板の透過軸とが平行な状態で、第１の積層体と第２の積層体とが積層されるのが好ましい。
また、第１の積層体が、第１のパターン位相差膜と共に第１の偏光板を挟む位置に、同一面内に複数の遅相軸方向を有し、遅相軸方向が一致する領域で形成されたパターン領域が設けられた第３のパターン位相差膜を有し、第２の積層体が、第２のパターン位相差膜と共に第２の偏光板を挟む位置に、同一面内に複数の遅相軸方向を有し、遅相軸方向が一致する領域で形成されたパターン領域が設けられた第４のパターン位相差膜を有し、第１の積層体の第３のパターン位相差膜のパターン領域の形状と、第２の積層体の第４のパターン位相差膜のパターン領域の形状とが、互いに異なるのが好ましい。
さらに、第１の積層体における、第１のパターン位相差膜のパターン領域の形状と第３のパターン位相差膜のパターン領域の形状とが互いに異なる構成、および、第２の積層体における、第２のパターン位相差膜のパターン領域の形状と第４のパターン位相差膜のパターン領域の形状とが互いに異なる構成の、少なくとも一方の構成を有するのが好ましい。
【発明の効果】
【００１０】
本発明によれば、染料および顔料等の色材を用いずに画像を表示する、新しい表示部材が提供される。
【図面の簡単な説明】
【００１１】
【図１】図１は、本発明の表示部材の一例の概略側面図である。
【図２】図２は、図１に示す表示部材を概念的に示す分解斜視図である。
【図３】図３は、図１に示す表示部材のパターン領域を説明するための概念図である。
【図４】図４は、図１に示す表示部材が表示する画像を概念的に示す図である。
【図５】図５は、図１に示す表示部材が表示する画像を説明するための概念図である。
【図６】図６は、図１に示す表示部材が表示する画像を説明するための概念図である。
【図７】図７は、図１に示す表示部材が表示する画像を説明するための概念図である。
【図８】図８は、本発明の表示部材の別の例の概略側面図である。
【図９】図９は、図８に示す表示部材を概念的に示す分解斜視図である。
【図１０】図１０は、図８に示す表示部材が表示する画像を概念的に示す図である。
【図１１】図１１は、図８に示す表示部材が表示する画像を説明するための概念図である。
【図１２】図１２は、本発明の表示部材の作製に用いるマスクを概念的に示す図である。
【図１３】図１３は、本発明の表示部材の作製に用いるマスクを概念的に示す図である。
【発明を実施するための形態】
【００１２】
以下、本発明の表示部材について、添付の図面に示される好適実施例を基に、詳細に説明する。
【００１３】
なお、以下において数値範囲を示す「〜」とは両側に記載された数値を含む。例えば、εが数値α〜数値βとは、εの範囲は数値αと数値βを含む範囲であり、数学記号で示せばα≦ε≦βである。
「４５°」、「平行」、「垂直」および「直交」等の角度は、特に記載がなければ、厳密な角度との差異が５°未満の範囲内であることを意味する。厳密な角度との差異は、４°未満であるのが好ましく、３°未満であるのがより好ましい。
また、「同一」とは、技術分野で一般的に許容される誤差範囲を含むものとする。また、「全部」、「いずれも」または「全面」等は、１００％である場合のほか、技術分野で一般的に許容される誤差範囲を含み、例えば、９９％以上、９５％以上、または９０％以上である場合を含むものとする。
本明細書において「遅相軸」とは、面内において屈折率が最大となる方向を意味する。
【００１４】
本明細書において、Ｒｅ（λ）は、波長λにおける面内のレタデーションを表す。なお、面内レタデーションの値Ｒｅおよび屈折率について特に測定波長が付記されていない場合は、測定波長は５５０ｎｍである。
本明細書において、Ｒｅ（λ）は、ＡｘｏＳｃａｎ  ＯＰＭＦ−１（オプトサイエンス社製）において、波長λで測定した値である、
ＡｘｏＳｃａｎにて平均屈折率（（Ｎｘ＋Ｎｙ＋Ｎｚ）／３）と膜厚（ｄ（μｍ））とを入力することにより、
遅相軸方向（°）、および、Ｒｅ（λ）＝Ｒ０（λ）
が算出される。
なお、Ｒ０（λ）は、ＡｘｏＳｃａｎで算出される数値として表示されるものであるが、Ｒｅ（λ）を意味している。
【００１５】
本明細書において、屈折率Ｎｘ、Ｎｙ、Ｎｚは、アッベ屈折計（アタゴ社製、ＮＡＲ−４Ｔ）を使用し、光源にナトリウムランプ（λ＝５８９ｎｍ）を用いて測定する。また、波長依存性を測定する場合は、多波長アッベ屈折計ＤＲ−Ｍ２（アタゴ社製）にて、干渉フィルタとの組合せで測定できる。
上記の測定において、平均屈折率の仮定値は、ポリマーハンドブック（ＪＯＨＮ ＷＩＬＥＹ＆ＳＯＮＳ，ＩＮＣ）、各種光学フィルムのカタログの値も使用できる。
主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。
【００１６】
本明細書において、透明とは、具体的には波長３８０〜７８０ｎｍの非偏光透過率（全方位透過率）が５０％以上であればよく、７０％以上であるのが好ましく、８５％以上であるのがより好ましい。
【００１７】
本発明の特徴は、同一面内に複数の遅相軸方向を有し、遅相軸の方向が一致する領域で形成された、表示する画像（絵柄および文字等）に応じたパターン領域が設けられたパターン位相差膜を、複数枚、用い、かつ、各パターン位相差膜のパターン領域の形状が異なる点が挙げられる。
【００１８】
図１に、本発明の表示部材の概略側面図を、図２に、図１に示す表示部材を分解した状態の概略斜視図を示す。なお、本発明において、側面とは、本発明の表示部材を、偏光板およびパターン位相差膜あるいはさらに支持体の主面の面方向から見た面であり、正面とは、同主面と直交する方向から見た面である。
主面とは、シート状物（フィルム状物、板状物）の最大面である。
【００１９】
図１および図２に示すように、本発明の表示部材１０は、第１積層体１２と、第２積層体１４とを有する。
第１積層体１２は、矩形の板状物であって、第１支持体１８と、第１パターン位相差膜２０と、第１偏光板２４とを有する。他方、第２積層体１４は、第１積層体１２と同じ矩形の板状物で、第２支持体２８と、第２パターン位相差膜３０と、第２偏光板３２とを有する。
【００２０】
表示部材１０において、第１積層体１２は本発明における第１の積層体に、第２積層体１４は本発明における第２の積層体に、第１支持体１８は本発明における第１の透明支持体に、第１パターン位相差膜２０は本発明における第１のパターン位相差膜に、第１偏光板２４は本発明における第１の偏光板に、第２支持体２８は本発明における第２の透明支持体に、第２パターン位相差膜３０は本発明における第２のパターン位相差膜に、第２偏光板３２は本発明における第２の偏光板に、それぞれ、相当する。
【００２１】
第１積層体１２において、第１支持体１８の一方の表面には、第１パターン位相差膜２０が積層され、第１パターン位相差膜２０の表面には、第１偏光板２４が積層される。すなわち、第１積層体１２は、第１パターン位相差膜２０の一方の面に第１偏光板２４が設けられ、第１パターン位相差膜２０の第１偏光板２４が設けられた面とは逆側の面に第１支持体１８が設けられた、第１支持体１８と第１偏光板２４とで、第１パターン位相差膜２０を挟持した構成を有する。
他方、第２積層体１４において、第２支持体２８の一方の表面には、第２パターン位相差膜３０が積層され、第２パターン位相差膜３０の表面には、第２偏光板３２が積層される。すなわち、第２積層体１４は、第２パターン位相差膜３０の一方の面に第２偏光板３２が設けられ、第２パターン位相差膜３０の第２偏光板３２が設けられた面とは逆側の面に第２支持体２８が設けられた、第２支持体２８と第２偏光板３２とで、第２パターン位相差膜３０を挟持した構成を有する。
【００２２】
以下の説明では、便宜的に、図１および図２における上下方向をｙ方向（９０°）とする。第１積層体１２および第２積層体１４（支持体、位相差膜、偏光板）の面方向と一致し、かつ、ｙ方向と直交する方向をｘ方向（０°）とする。さらに、ｘ方向およびｙ方向と直交する方向をｚ方向とする。すなわち、図１において、ｘ方向は紙面に垂直な方向で、ｚ方向は図中横方向である。
従って、第１積層体１２の第１支持体１８、第１パターン位相差膜２０および第１偏光板２４、ならびに、第２積層体１４の第２支持体２８、第２パターン位相差膜３０および第２偏光板３２は、共に、ｚ方向に積層される。また、第１積層体１２および第２積層体１４も、偏光板を外面として、ｚ方向に積層される。
以上の点に関しては、後述する第２の態様の表示装置８０も同様である。
【００２３】
表示部材１０において、第１積層体１２および第２積層体１４は、互いの偏光板を外側にして、接触または離間して、積層（ｚ方向から見た際に重複）される。すなわち、表示部材１０においては、第１パターン位相差膜２０および第２パターン位相差膜３０が、第１偏光板２４と第２偏光板３２との間に位置するように、第１積層体１２と第２積層体１４とが積層される。
また、第１積層体１２および第２積層体１４は、完成した画像（担持する画像（最終的に目的とする画像））を表示する際には、面方向（ｘ−ｙ方向）にズレることなく、面方向の外周を一致して積層される。以下の説明では、この状態を『完全に重複して積層』とも言う。
【００２４】
第１積層体１２の第１支持体１８は、第１パターン位相差膜２０および第１偏光板２４を支持するために、好ましい態様として用いられるものである。また、第２積層体１４の第２支持体２８は、第２パターン位相差膜３０および第２偏光板３２を支持するために、好ましい態様として用いられるものであり、光学的な作用は有さないのが好ましい。
なお、図２において、第１支持体１８および第２支持体２８に示される破線は、第１支持体１８および第２支持体２８の遅相軸である。第１支持体１８および第２支持体２８は、例えばトリアセチルセルロース（ＴＡＣ）等を延伸して形成される透明な樹脂フィルムであり、若干ではあるが、面内位相差を有する。
そのため、図２に示すように、第１支持体１８および第２支持体２８は、互いの位相差を相殺するように、遅相軸を直交して配置するのが好ましい。これにより、支持体が有する位相差に起因して、表示部材１０が表示する画像に色味が生じる等の不都合が生じることを防止できる。
【００２５】
図２に示すように、第１積層体１２の第１偏光板２４は、ｘ方向（ｙ方向）に対して４５°の透過軸（偏光軸）を有する（矢印ｔ１）。以下、便宜的に、第１偏光板２４の透過軸の方向を−４５°とも言う。
第２積層体１４の第２偏光板３２も、ｘ方向（ｙ方向）に対して４５°の遅相軸を有する（矢印ｔ２）。ここで、矢印ｔ１および矢印ｔ２に示すように、第１偏光板２４の透過軸と第２偏光板の透過軸とは、互いに直交する。すなわち、第１偏光板２４と第２偏光板とは、互いの透過軸の方向が９０°異なる。以下、便宜的に、第２偏光板３２の透過軸の方向を＋４５°とも言う。
【００２６】
第１パターン位相差膜２０および第２パターン位相差膜３０は、共にλ／４板である。
前述のように、第１パターン位相差膜２０および第２パターン位相差膜３０は、同一面内に複数の遅相軸方向を有し、遅相軸の方向が一致する領域で形成された、表示する絵柄および文字等の画像に応じたパターン領域が設けられている。後述するが、第１パターン位相差膜２０および第２パターン位相差膜３０に設けられるパターン領域は、パターン領域２０ｘ−１〜２０ｘ−３、２０ｙ−１〜２０ｙ−３、３０ｘ−１および３０ｙ−１〜３０ｙ−３である。
また、第１パターン位相差膜２０と第２パターン位相差膜３０とでは、パターン領域の形状が互いに異なる。
【００２７】
第１パターン位相差膜２０および第２パターン位相差膜３０のパターン領域は、遅相軸の向きによらず、いずれの領域も、λ／４位相差領域である。
偏光板を透過した光に対するλ／４位相差領域とは、制御波長域内の波長、好ましくは制御波長域の中心波長の１／４の長さ、または、「中心波長×ｎ±中心波長の１／４（ｎは０または１以上の整数）」の面内レタデーションを有する領域を意図する。例えば、制御波長域の中心波長が１０００ｎｍであれば、２５０ｎｍ、７５０ｎｍ、１２５０ｎｍ、１７５０ｎｍ等の位相差の位相差板をλ／４位相差板として用いることができる。
なお、位相差板（位相差膜）に用いられる複屈折材料には、それぞれ固有の波長分散特性があり、通常の順波長分散材料を用いた場合、特定の波長においてλ／４位相差となるようにすると、その波長より短波長側では、位相差はλ／４以上となり、長波長側では、λ／４以下となる。よって、ある波長域において、平均的にλ／４位相差の効果を発現させるためには、光源の波長と、人間の視感度とを加味した値に設定する必要がある。また、敢えて波長分散特性を利用することで、特定の波長の光のみを遮光し、透過光の色味を変化させることも可能となる。一方、色味の変化を抑制したい場合には、逆波長分散性の位相差材料を用いるのが好ましい。
より具体的には、例えば、偏光板を透過した光が可視光領域の光である場合、測定波長５５０ｎｍで測定したパターン領域の面内レタデーションの値であるＲｅ（５５０）は、１００ｎｍ≦Ｒｅ（５５０）≦１６０ｎｍが好ましく、１１０ｎｍ≦Ｒｅ（５５０）≦１５０ｎｍがより好ましく、１１５ｎｍ≦Ｒｅ（５５０）≦１４５ｎｍがさらに好ましい。
【００２８】
第１積層体１２の第１パターン位相差膜２０のパターン領域による画像は、球を平面視した画像である。
具体的には、第１パターン位相差膜２０のパターン領域による画像は、図３の左側に概念的に示すように、球を、球の中心を通る図中ｙ方向に平行な平面によって、ｘ方向の複数箇所で切断したような画像である。
第１パターン位相差膜２０には、ｘ方向に遅相軸（矢印ａ１ｘ）を有するパターン領域２０ｘ−１〜２０ｘ−３と、ｙ方向に遅相軸（矢印ａ１ｙ）を有するパターン領域２０ｙ−１〜２０ｙ−３とが形成される。すなわち、パターン領域２０ｘ−１〜２０ｘ−３とパターン領域２０ｙ−１〜２０ｙ−３とは、遅相軸が互いに直交している。言い換えれば、パターン領域２０ｘ−１〜２０ｘ−３とパターン領域２０ｙ−１〜２０ｙ−３とは、遅相軸の方向が９０°異なる。また、第１パターン位相差膜２０において、隣接するパターン領域は、遅相軸が互いに直交している。
【００２９】
第２積層体１４の第２パターン位相差膜３０のパターン領域による画像も、球を平面視した画像である。
具体的には、第２パターン位相差膜３０のパターン領域による画像は、図３の右側に概念的に示すように、球を、図中ｘ方向に平行な平面によって、ｙ方向の複数箇所で切断したような画像である。
第２パターン位相差膜３０には、ｘ軸方向に遅相軸（矢印ａ２ｘ）を有するパターン領域３０ｘ−１と、ｙ方向に遅相軸（矢印ａ１ｙ）を有するパターン領域２０ｙ−１〜２０ｙ−３とが形成される。図２に示すように、第２パターン位相差膜３０においては、パターン領域２０ｙ−１〜２０ｙ−３以外の領域が、全て、パターン領域３０ｘ−１となっている。すなわち、パターン領域３０ｘ−１とパターン領域３０ｙ−１〜３０ｙ−３とは、遅相軸が互いに直交している。また、第２パターン位相差膜３０も、隣接するパターン領域は、遅相軸が互いに直交している。
【００３０】
表示部材１０においては、第１パターン位相差膜２０および第２パターン位相差膜３０における２種のパターン領域の遅相軸が互いに直交しているが、本発明は、これに限定はされない。すなわち、本発明においては、パターン位相差膜は、同一面内において複数の遅相軸方向を有し、かつ、遅相軸の方向が一致するパターン領域を複数種有するものであれば、異なるパターン領域の遅相軸が成す角度は、各種の角度が利用可能である。
なお、本発明において、図示例の第１パターン位相差膜２０および第２パターン位相差膜３０のように、遅相軸の方向が異なるパターン領域を、２種類、有する場合には、両パターン領域の遅相軸が成す角度は、７０〜１１０°が好ましく、８０〜１００°がより好ましく、９０°、すなわち、直交するのがさらに好ましい。
【００３１】
ここで、前述のように、第１偏光板２４および第２偏光板３２は、ｘ方向（ｙ方向）に対して４５°（−４５°および＋４５°）の透過軸（矢印ｔ１およびｔ２）を有するものであり、第１偏光板２４の透過軸と第２偏光板３２の透過軸とは、直交する。
また、第１パターン位相差膜２０および第２パターン位相差膜３０は、共にλ／４板である。第１パターン位相差膜２０は、ｘ方向に遅相軸を有するパターン領域２０ｘ−１〜２０ｘ−３とｙ方向に遅相軸を有するパターン領域２０ｙ−１〜２０ｙ−３とを有する。他方、第２パターン位相差膜３０は、ｘ方向に遅相軸を有するパターン領域３０ｘ−１とパターン領域３０ｙ−１〜３０ｙ−３とを有する。図３に示すように、第１パターン位相差膜２０と第２パターン位相差膜３０とでは、パターン領域の形状が異なる。
さらに、第１積層体１２と第２積層体１４とを積層した状態では、第１パターン位相差膜２０および第２パターン位相差膜３０は、第１偏光板２４および第２偏光板３２に挟まれている。言い換えれば、積層体である表示部材１０において、第１パターン位相差膜２０および第２パターン位相差膜３０は、第１偏光板２４および第２偏光板３２の内側に位置する。
【００３２】
そのため、第１積層体１２と第２積層体とを積層（重複）した状態で表示部材１０を観察すると、光は、透過した領域に応じて遮光あるいは透過され、これにより、様々な画像が表示される。また、第１積層体１２と第２積層体１４とを完全に重複して積層した状態で表示部材１０を観察すると、図４に概念的に示す、市松模様の球が表示される。
なお、前述のように、積層とはｚ方向からみた際に重複すなわち重なっている状態であり、すなわち、重複しているとは、ｚ方向から見た際に重複している状態を示す。
【００３３】
例えば、第１積層体１２と第２積層体１４とを完全に重複して積層した状態で表示部材１０を観察すると、光は、第１偏光板２４を透過して−４５°の直線偏光となる。
【００３４】
この−４５°の直線偏光の一部は、例えば、第１パターン位相差膜２０のパターン領域２０ｙ−１と第２パターン位相差膜３０のパターン領域３０ｙ−１とが重複する重複領域に入射する。前述のように、パターン領域２０ｙ−１およびパターン領域３０ｙ−１は、共に、λ／４位相差領域で、かつ、遅相軸（矢印ａ１ｙおよびａ２ｙ）が、共に、ｙ方向である。従って、重複領域（重複したパターン領域）は『λ／４位相差領域＋λ／４位相差領域』で、−４５°の直線偏光は、結果的に、λ／２位相差領域（λ／２板）を通過した場合と同様になり、偏光方向が９０°回転して、＋４５°の直線偏光となる。
第１パターン位相差膜２０のパターン領域２０ｙ−１および第２パターン位相差膜３０のパターン領域３０ｙ−１を透過した＋４５°の直線偏光は、次いで、第２偏光板３２に入射する。ここで、第２偏光板３２は、第１偏光板２４の透過軸（矢印ｔ１（−４５°））と直交する透過軸（矢印ｔ２（＋４５°））を有する偏光板である。従って、第２偏光板３２に入射した＋４５°の直線偏光は、第２偏光板３２を透過して、図４に示すように、この部分は透明の表示となる。
【００３５】
一方、−４５°の直線偏光の別の一部は、第１偏光板２４を透過した後、例えば、第１パターン位相差膜２０のパターン領域２０ｘ−３と第２パターン位相差膜３０のパターン領域３０ｙ−１とが重複する重複領域に入射する。前述のように、パターン領域２０ｘ−３とパターン領域３０ｙ−１とは、共に、λ／４位相差領域であるが、遅相軸（矢印ａ１ｘおよびａ２ｙ）が、互いに直交する。従って、重複領域（重複したパターン領域）は、『λ／４位相差領域＋（−λ／４位相差領域）』で、−４５°の直線偏光は、光学的には何も無い領域を透過した場合と同様になる。すなわち、パターン領域２０ｘ−３およびパターン領域３０ｙ−１を透過した光は、第１偏光板２４（透過軸−４５°（矢印ｔ１））を透過した直線偏光と同じ、−４５°の直線偏光である。
第１パターン位相差膜２０のパターン領域２０ｘ−３および第２パターン位相差膜３０のパターン領域３０ｙ−１を透過した−４５°の直線偏光も、次いで、第２偏光板３２に入射する。前述のように、第２偏光板３２は、第１偏光板２４の透過軸（矢印ｔ１（−４５°））と直交する透過軸（矢印ｔ２（＋４５°））を有する偏光板である。従って、第２偏光板３２に入射した−４５°の直線偏光は、第２偏光板３２で遮光され、図４に示すように、この部分は黒の表示となる。
【００３６】
同様に、例えば、第１パターン位相差膜２０のパターン領域２０ｙ−２と第２パターン位相差膜３０のパターン領域３０ｙ−２とが重複する領域に入射した−４５°の直線偏光は、２枚のλ／４位相差領域からなるλ／２位相差領域を通過して、偏光方向が第１偏光板２４の透過軸（−４５°）に対して９０°回転した＋４５°の直線偏光となり、透過軸が＋４５°である第２偏光板３２を透過して、図４に示すように、透明の表示となる。
また、例えば、第１パターン位相差膜２０のパターン領域２０ｘ−２と第２パターン位相差膜３０のパターン領域３０ｙ−２とが重複する領域に入射した−４５°の直線偏光は、両パターン領域を透過しても−４５°の直線偏光であり、従って、透過軸が＋４５°である第２偏光板３２によって遮光されて、図４に示すように、黒の表示となる。
【００３７】
これにより、第１積層体１２と第２積層体１４とを完全に重複して積層することで、図４に示すような市松模様状の球体の画像が表示される。
【００３８】
すなわち、本発明によれば、同一面内に複数の遅相軸方向を有し、遅相軸の方向が一致する領域で形成された、表示する画像に応じたパターン領域が設けられ、かつ、パターン領域の形状が互いに異なるパターン位相差膜を、複数枚、用いることにより、様々な画像を表示できる、全く新しい表示部材を提供できる。
【００３９】
好ましくは、図１〜３に示されるように、第１積層体１２と第２積層体１４とを重複することで、第１パターン位相差膜２０のパターン領域と第２パターン位相差膜３０のパターン領域とが重複した重複領域が、複数形成され、かつ、重複領域として、互いにレタデーション値が異なる、複数種の重複領域を形成する。
なお、本発明において、重複領域とは、すなわち、第１パターン位相差膜２０の１つのパターン領域と、第２パターン位相差膜３０の１つのパターン領域とが、ｚ方向に重複してなる領域である。ｚ方向に重複してなる領域とは、言い換えれば、ｚ方向から見た際に重複してなる領域である。
また、重複領域のレタデーション値とは、ｚ方向に重複する、第１パターン位相差膜２０の１つのパターン領域と、第２パターン位相差膜３０の１つのパターン領域とを、１つの位相差膜としてみなした際のレタデーション値を意図する。
具体的には、第１積層体１２と第２積層体１４とを重複した際に、重複した第１パターン位相差膜２０のパターン領域と第２パターン位相差膜３０のパターン領域とで、遅相軸の方向が同方向の領域と、遅相軸の方向が異なる重複領域とを形成することで、絵柄および文字等の画像を表示する。
【００４０】
より好ましくは、第１パターン位相差膜２０のパターン領域と第２パターン位相差膜３０のパターン領域とが重複した重複領域として、レタデーション値が０ｎｍ±１０ｎｍとなる重複領域、および、２６０ｎｍ±４０ｎｍとなる重複領域の少なくとも一方を形成する。
具体的には、第１積層体１２と第２積層体１４とを重複することで形成される重複領域として、第１パターン位相差膜２０における遅相軸がｘ方向（矢印ａ１ｘ）のパターン領域と、第２パターン位相差膜３０における遅相軸がｙ方向（矢印ａ２ｙ）のパターン領域とが重複した場合、および、第１パターン位相差膜２０における遅相軸がｙ方向（矢印ａ１ｙ）のパターン領域と、第２パターン位相差膜３０における遅相軸がｘ方向（矢印ａ２ｘ）のパターン領域とが重複した場合に、レタデーション値が０ｎｍ±１０ｎｍとなる重複領域を形成する。この重複領域が、前述の遮光されて黒くなる領域である。
また、第１積層体１２と第２積層体１４とを重複することで形成される別の重複領域として、第１パターン位相差膜２０における遅相軸がｘ方向（矢印ａ１ｘ）のパターン領域と、第２パターン位相差膜３０における遅相軸がｘ方向（矢印ａ２ｘ）のパターン領域とが重複した場合、および、第１パターン位相差膜２０における遅相軸がｙ方向（矢印ａ１ｙ）のパターン領域と、第２パターン位相差膜３０における遅相軸がｙ方向（矢印ａ２ｙ）のパターン領域とが重複した場合に、レタデーション値が２６０ｎｍ±４０ｎｍとなる重複領域を形成する。この重複領域が、前述の透明となる領域である。
このような構成を有することにより、光の遮光および透過を好適に行い、高画質な画像を表示することが可能になる。
【００４１】
さらに、第１積層体１２と第２積層体１４とを重複することで形成される別の重複領域として、第１パターン位相差膜２０における遅相軸がｘ方向（矢印ａ１ｘ）のパターン領域と、第２パターン位相差膜３０における遅相軸がｘ方向（矢印ａ２ｘ）のパターン領域とが重複した場合、および、第１パターン位相差膜２０における遅相軸がｙ方向（矢印ａ１ｙ）のパターン領域と、第２パターン位相差膜３０における遅相軸がｙ方向（矢印ａ２ｙ）のパターン領域とが重複した場合に、レタデーション値が４００ｎｍ以上となる重複領域を形成してもよい。
第１積層体１２と第２積層体１４とを重複した際に、このようなレタデーション値を有する重複領域を形成することで、表示する画像に色味を付けることができ、カラー画像を表示することも可能になる。
【００４２】
第１積層体１２と第２積層体１４とを重複した状態で、レタデーション値の異なる複数種の重複領域を形成するとは、より好ましくは、第１パターン位相差膜２０のパターン領域と第２パターン位相差膜３０のパターン領域とで、パターン領域の境界を複数箇所で交差して、パターン領域の境界の交点の回りに、２種以上の重複領域、より詳細には４種以上の重複領域を形成することである。
【００４３】
一例として、図４における、第１パターン位相差膜２０のパターン領域２０ｘ−２および２０ｘ−３の境界と、第２パターン位相差膜３０のパターン領域３０ｘ−１および３０ｙ−２の境界との交点ｎを参照すると、この交点ｎの回りには、
遅相軸の方向が共にｘ方向（矢印ａ１ｘおよびａ２ｘ（０°））である、第１パターン位相差膜２０のパターン領域２０ｘ−２と第２パターン位相差膜３０のパターン領域３０ｘ−１とが重複した、透明となる重複領域（ｘ方向−ｘ方向（０°−０°））；
遅相軸の方向がｙ方向（矢印ａ１ｙおよびａ２ｙ（９０°））である、第１パターン位相差膜２０のパターン領域２０ｙ−２と、遅相軸の方向がｘ方向である第２パターン位相差膜３０のパターン領域３０ｘ−１とが重複した、遮光される重複領域（ｙ方向−ｘ方向（９０°−０°））；
遅相軸の方向がｘ方向である第１パターン位相差膜２０のパターン領域２０ｘ−２と、遅相軸の方向がｙ方向である第２パターン位相差膜３０のパターン領域３０ｙ−２とが重複した、遮光される重複領域（ｘ方向−ｙ方向（０°−９０°））；および、
遅相軸の方向が共にｙ方向である、第１パターン位相差膜２０のパターン領域２０ｙ−２と第２パターン位相差膜３０のパターン領域３０ｙ−２とが重複した、透明となる重複領域（ｙ方向−ｙ方向（９０°−９０°））；の、レタデーション値としては２種、遅相軸の組み合わせとしては４種の重複領域が形成され、これにより、図４に示すような、市松模様状の球体が表示される。
【００４４】
本発明の表示部材１０は、第１積層体１２の第１パターン位相差膜２０の位置と、第２積層体１４の第２パターン位相差膜３０の位置とが、ｚ方向にズレている。すなわち、第１パターン位相差膜２０のパターン領域による画像と、第２パターン位相差膜３０のパターン領域による画像とが、ｚ方向にズレている。
そのため、表示部材１０を斜め方向すなわちｚ方向に対して角度を有して観察すると、第１パターン位相差膜２０のパターン領域による画像と、第２パターン位相差膜３０のパターン領域による画像との間に視差が生じ、立体感（奥行き感）のある画像の表示、および、正面からの観察に対して変形しているような視覚効果を得ることができる。
【００４５】
前述のように、本発明の表示部材１０において、第１積層体１２と第２積層体１４とは、密着した状態で積層してもよく、間隔を開けて積層してもよい。
ここで、画像の立体感および画像の変形の視覚効果は、第１積層体１２と第２積層体１４との間隙が大きいほど、効果が大きくなる。そのため、画像の立体感および画像の変形等の効果を得るために、第１積層体１２と第２積層体１４とを間隔を開けて積層する場合には、両者の間隔は１ｍｍ以上とするのが好ましい。なお、第１積層体１２と第２積層体１４との間隙とは、すなわち、第１積層体１２と第２積層体１４とのｚ方向の距離である。
但し、第１積層体１２と第２積層体１４との間隙が大きすぎると、視差が大きくなりすぎて、観察される画像が不適正になってしまう可能性もある。そのため、表示する画像および表示部材１０の大きさ等に応じて、第１積層体１２と第２積層体１４との間隙は、表示する画像が適正に観察できる範囲に留めるのが好ましい。
また、第１積層体１２と第２積層体１４との間に間隙を設ける場合には、例えば、水槽の一面に第１積層体１２を貼着し、水槽の第１積層体１２を貼着した面と逆側の面に第２積層体１４を貼着することで、画像の間を魚が泳いでいるような視覚効果を演出できる。
【００４６】
さらに、本発明の表示部材１０では、第１積層体１２と第２積層体１４とを面方向に相対的に移動する移動手段を有してもよい。
第１積層体１２と第２積層体１４とを面方向に相対的に移動することにより、第１パターン位相差膜２０のパターン領域と第２パターン位相差膜３０のパターン領域との重複位置および境界の交点が変動して、それに応じて、画像が変化する。
そのため、第１積層体１２と第２積層体１４とが重複せずに完全に離間した何も表示しない状態から、第１積層体１２と第２積層体１４とを相対的に移動させて両者を重複させ、徐々に、第１積層体１２と第２積層体１４との重複量を増加していき、最終的に、完全に重複して積層することで、表示画像を変化させつつ、画像を完成させることもできる。この構成によれば、第１積層体１２と第２積層体１４とが完全に重複して積層するまで表示画像が変化するので、観察者は、最終的にどのような画像が表示されるか分からず、画像表示の娯楽性等を向上できる。
逆に、第１積層体１２と第２積層体１４とが完全に重複して積層した、画像が完成している状態から、徐々に、第１積層体１２と第２積層体１４との重複量を減少していき、両者を完全に離間することで、画像を変化させつつ、最終的に何も表示されてない状態にすることもできる。
【００４７】
例えば、図５に概念的に示すように、表示部材１０の第１積層体１２と第２積層体１４とが面方向に完全に離間している状態では、第１積層体１２および第２積層体に入射した光は、両者を透過するたけで、何も目視されない。
この状態から、第１積層体１２と第２積層体１４とを面方向に相対的に移動して、両者を重複させると画像が表示され、さらに重複量の増加に応じて第１パターン位相差膜２０および第２パターン位相差膜３０のパターン領域の重複位置およびパターン領域の境界の交点が徐々に変化して、画像が変化する。
例えば、第１積層体１２と第２積層体１４とが１／４重複した時点では、第１パターン位相差膜２０のパターン領域２０ｘ−１の一部と、第２パターン位相差膜３０のパターン領域３０ｙ−１およびパターン領域３０ｙ−２の一部とが重複し、また、第１パターン位相差膜２０のパターン領域２０ｙ−３の一部と、第２パターン位相差膜３０のパターン領域３０ｘ−１の一部とが重複して、図６に概念的に示すような画像が表示される。
【００４８】
さらに第１積層体１２と第２積層体１４とを面方向に相対的に移動して、第１積層体１２と第２積層体１４との重複量が増加すると、同様に、重複量の増加に応じて、第１パターン位相差膜２０および第２パターン位相差膜３０のパターン領域の重複位置および境界の交点等が徐々に変化して、すなわち重複領域が変動して、画像が変化する。
例えば、第１積層体１２と第２積層体１４とが３／４重複した状態では、第１パターン位相差膜２０のパターン領域２０ｘ−１、２０ｙ−３、２０ｘ−３、２０ｙ−２、２０ｘ−２および２０ｙ−１の一部と、第２パターン位相差膜３０のパターン領域３０ｘ−１、３０ｙ−１、３０ｙ−２および３０ｙ−３の一部とが重複し、図７に概念的に示すような画像が表示される。
【００４９】
さらに第１積層体１２と第２積層体１４とを面方向に相対的に移動して、第１積層体１２と第２積層体１４との重複量が増加すると、重複量の増加に応じて、第１パターン位相差膜２０および第２パターン位相差膜３０のパターン領域との重複位置およびパターン領域の境界の交点等が徐々に変化して、画像が変化し、図４に示すように、第１積層体１２と第２積層体１４とが、完全に重複して積層されると、市松模様状の球を表示する、完成した状態の画像が表示される。
【００５０】
また、図４に示す完成した画像を表示している状態から、第１積層体１２と第２積層体１４とを面方向に相対的に移動して、両積層体の重複量を、徐々に、減らすことで、図４に示す完成した画像を表示している状態から、重複領域が変動して、画像が変化して、図７に示す３／４重複した状態、図６に示す１／４重複した状態を経て、図５に示すように、何も見えない状態となる。
【００５１】
このような第１積層体１２と第２積層体１４との相対的な移動は、第２積層体１４を固定して第１積層体１２を移動して行ってもよく、あるいは、第１積層体１２を固定して第２積層体１４を移動して行ってもよく、あるいは、第１積層体１２および第２積層体１４の両者を移動して行ってもよい。
また、第１積層体１２および／または第２積層体１４の移動手段にも、限定はなく、公知のシート状物（フィルム状物、板状物）の移動手段が、各種、利用可能である。
【００５２】
第１積層体１２および／または第２積層体１４を移動させる場合には、例えば、戸袋が透明な自動ドアにおいて、戸袋に第１積層体１２を貼着し、扉に第２積層体１４を貼着して、扉が全開になった状態で、第１積層体１２と第２積層体１４とが完全に重複して積層した状態になるようにしてもよい。
これにより、自動ドアが完全に閉まった状態から自動ドアを開けることで、何も表示されない状態から、何らかの画像が観察できる状態になって、徐々に画像が変化して、自動ドアが完全に開いた状態で画像が完成し、逆に、自動ドアが完全に開いた状態から、自動ドアが閉まることで、完成していた画像が、徐々に変化していき、自動ドアが閉まった状態では、何も見えない状態に戻るような、視覚的な演出を行うことができる。
なお、この構成は、自動ドアではなく、手動のドアでも利用できる。
【００５３】
また、本発明の表示部材は、第１積層体１２と第２積層体１４とを完全に重複して積層した状態ではなく、第１積層体１２と第２積層体１４とがズレて積層された状態で、完成した画像を表示するように、第１パターン位相差膜２０のパターン領域および第２パターン位相差膜３０のパターン領域を形成してもよい。
【００５４】
図８および図９に、本発明の表示部材の別の態様を概念的に示す。図８は、図１と同様の側面図であり、図９は、図２と同様の分解斜視図である。
なお、図９に示す表示部材５０においても、第１積層体５２と第２積層体５４とは、離間して積層されても、接触して積層されてもよい。
図９に示す表示部材５０は、図１および図２に示す表示部材１０と同じ部材を多用しているので、同じ部材には同じ符号を付し、以下の説明は異なる部位を主に行う。
【００５５】
この表示部材５０は、前述の第１パターン位相差膜２０および第２パターン位相差膜３０に加え、第３パターン位相差膜（第３のパターン位相差膜）５８および第４パターン位相差膜（第４のパターン位相差膜）６０を有する。
表示部材５０は、さらに２枚のパターン位相差膜を有することで、第１パターン位相差膜２０および第２パターン位相差膜３０による画像と、第３パターン位相差膜５８および第４パターン位相差膜６０による画像とを、切り換えて表示することができる。
【００５６】
表示部材５０の第１積層体５２において、第１支持体１８の一方の表面には、第１パターン位相差膜２０が積層され、第１パターン位相差膜２０の表面には、第１偏光板２４が積層され、第２偏光板３２の表面には第３パターン位相差膜５８が積層され、第３パターン位相差膜５８の表面には、２枚目の第１支持体１８が形成される。
すなわち、第１積層体５２は、第１偏光板２４を第１パターン位相差膜２０と第３パターン位相差膜５８とで挟持し、その両面を第１支持体１８で挟持した構成を有する。
他方、第２積層体５４において、第２支持体２８の一方の表面には、第２パターン位相差膜３０が積層され、第２パターン位相差膜３０の表面には、第２偏光板３２が積層され、第２偏光板３２の表面には第４パターン位相差膜６０が積層され、第４パターン位相差膜６０の表面には、２枚目の第２支持体２８が積層される。
すなわち、第２積層体５４は、第２偏光板３２を第２パターン位相差膜３０と第４パターン位相差膜６０とで挟持し、その両面を第２支持体２８で挟持した構成を有する。
【００５７】
なお、第１積層体５２の第１支持体１８に示す破線の矢印、および、第２積層体５４の第２支持体２８に示す破線の矢印は、先の例と同様、支持体の遅相軸である。
前述の表示部材１０と同様、第１積層体５２においては、２枚の第１支持体１８の遅相軸を直交して配置することにより、第２積層体５４においては、２枚の第２支持体２８の遅相軸を直交して配置することにより、支持体が有する位相差を相殺して、高画質な画像の表示を可能にしている。
【００５８】
第３パターン位相差膜５８および第４パターン位相差膜６０は、前述の第１パターン位相差膜２０および第２パターン位相差膜３０と同様のλ／４板である。
従って、第３パターン位相差膜５８および第４パターン位相差膜６０は、同一面内に複数の遅相軸方向を有し、遅相軸の方向が一致する領域で形成された、表示する画像に応じたパターン領域（後述するパターン領域５８ｘ−１、５８ｙ−１〜５８ｙ−３、６０ｘ−１および６０ｙ−１〜６０ｙ−３）が設けられている。また、第３パターン位相差膜５８および第４パターン位相差膜６０とでは、パターン領域の形状が互いに異なる。
【００５９】
後に示すが、表示装置８０の第３パターン位相差膜５８および第４パターン位相差膜６０が表示する画像（担持する画像）は、円筒を平面視した画像である。
第１積層体５２の第３パターン位相差膜５８のパターン領域による画像は、円筒を、ｘ方向に平行な平面（底面に平行な平面）で、ｙ方向（高さ方向）の複数箇所で切断したような画像である。
第３パターン位相差膜５８には、ｙ方向に遅相軸（矢印ａ３ｙ）を有するパターン領域５８ｙ−１〜５８ｙ−３と、それ以外の領域である、ｘ方向に遅相軸（矢印ａ３ｘ）を有するパターン領域５８ｘ−１とが形成される。すなわち、パターン領域５８ｘ−１とパターン領域５８ｙ−１〜５８ｙ−３とは、遅相軸が互いに直交している。また、第３パターン位相差膜５８において、隣接するパターン領域は、遅相軸が互いに直交している。
【００６０】
他方、第２積層体５４の第４パターン位相差膜６０のパターン領域による画像は、円筒をｙ方向に平行な平面で、ｘ方向の複数箇所で切断したような平面である。
第４パターン位相差膜６０には、ｙ方向に遅相軸（矢印ａ４ｙ）を有するパターン領域６０ｙ−１〜６０ｙ−３と、それ以外の領域である、ｘ方向に遅相軸（矢印ａ４ｘ）を有するパターン領域６０ｘ−１とが形成される。すなわち、パターン領域６０ｘ−１とパターン領域６０ｙ−１〜６０ｙ−３とは、遅相軸が互いに直交している。また、第４パターン位相差膜６０においても、隣接するパターン領域は、遅相軸が互いに直交している。
【００６１】
先の例と同様、第１偏光板２４および第２偏光板３２は、ｘ方向（ｙ方向）に対して４５°（−４５°および＋４５°）の透過軸（矢印ｔ１およびｔ２）を有するものであり、第１偏光板２４の透過軸と第２偏光板３２の透過軸とは、直交する。
また、第３パターン位相差膜５８および第４パターン位相差膜６０は、共に、λ／４板であり、ｘ方向に遅相軸を有するパターン領域と、ｙ方向に遅相軸を有するパターン領域とを有し、かつ、両位相差膜のパターン領域の形状は、異なる。
従って、図９に示す表示部材５０は、第１積層体５２と第２積層体５４とを完全に重複して、積層した状態で観察すると、光は、透過した領域に応じて遮光あるいは透過され、前述の第１パターン位相差膜２０および第２パターン位相差膜３０を用いる画像表示と同様の作用で、第３パターン位相差膜５８および第４パターン位相差膜６０のパターン領域による図１０に概念的に示す画像が表示される。
【００６２】
例えば、第１積層体５２と第２積層体５４とを完全に重複して積層した状態の表示部材５０を観察する。
この際において、第２支持体２８を透過した光は、第２パターン位相差膜３０に入射するが、この光は偏光では無いので、第２パターン位相差膜３０では、殆ど影響を受けずに透過して、第２偏光板３２に入射する。
第２偏光板３２に入射して透過した光は、＋４５°の直線偏光になる。
【００６３】
この＋４５°の直線偏光は、次いで、第４パターン位相差膜６０、第２支持体２８、第１支持体１８および第３パターン位相差膜５８の順番に入射して、透過する。
この＋４５°の直線偏光の一部は、例えば、第４パターン位相差膜６０のパターン領域６０ｙ−１と第３パターン位相差膜５８のパターン領域５８ｙ−１とが重複する重複領域に入射する。前述のように、パターン領域６０ｙ−１およびパターン領域５８ｙ−１は、共に、λ／４位相差領域で、かつ、遅相軸（矢印ａ４ｙおよびａ３ｙ）がｙ方向である。従って、重複領域（重複したパターン領域）は、『λ／４位相差領域＋λ／４位相差領域』で、＋４５°の直線偏光は、結果的に、λ／２位相差領域（λ／２板）を通過した場合と同様になり、偏光方向が９０°回転して、−４５°の直線偏光となる。
第４パターン位相差膜６０のパターン領域６０ｙ−１および第３パターン位相差膜５８のパターン領域３０ｙ−１を透過した−４５°の直線偏光は、次いで、第１偏光板２４に入射する。第１偏光板２４は、前述のように、−４５°の透過軸（矢印ｔ１）を有する偏光板である。従って、第１偏光板２４に入射した−４５°の直線偏光は、第１偏光板２４を透過する。
【００６４】
第１偏光板２４を透過した−４５°の直線偏光は、次いで、第１パターン位相差膜２０に入射する。
第１パターン位相差膜２０は、λ／４板であるので、−４５°の直線偏光は、円偏光に変化する。しかしながら、視覚的には、なんの影響を受けることは無いので、光は、第１パターン位相差膜２０を透過して、次いで、第１支持体１８を透過するので、図１０に示すように、この部分は透明の表示となる。
【００６５】
一方、第２支持体２８および第２パターン位相差膜３０を透過して、第２偏光板３２を透過した＋４５°の直線偏光の別の一部は、例えば、第４パターン位相差膜６０のパターン領域６０ｙ−１と第３パターン位相差膜５８のパターン領域５８ｘ−１とが重複する重複領域に入射する。前述のように、パターン領域６０ｙ−１およびパターン領域５８ｘ−１は、共に、λ／４位相差領域であるが、遅相軸（矢印ａ４ｙおよびａ３ｘ）が、互いに直交する。従って、重複領域（重複したパターン領域）は、『λ／４位相差領域＋（−λ／４位相差領域）』で、＋４５°の直線偏光は、結果的に、何も無い領域を透過した場合と同様になる。すなわち、パターン領域６０ｙ−１およびパターン領域５８ｘ−１を透過した光は、第２偏光板３２の透過軸（矢印ｔ１）と同方向の＋４５°の直線偏光のままである。
第４パターン位相差膜６０のパターン領域６０ｙ−１および第３パターン位相差膜５８のパターン領域５８ｘ−１を透過した＋４５°の直線偏光は、次いで、第１偏光板２４に入射する。第１偏光板２４は、前述のように、−４５°の透過軸（矢印ｔ１）を有する偏光板である。従って、第１偏光板２４に入射した＋４５°の直線偏光は、第１偏光板２４によって遮光される。その結果、図１０に示すように、この部分は黒の表示となる。
【００６６】
このような作用により、第１積層体５２と第２積層体５４とを完全に重複して積層することで、図１０に示すような市松模様状の円筒の画像が表示される。
【００６７】
また、前述の表示部材１０と同様、表示部材５０も、第１積層体５２と第２積層体５４とを、面方向に相対的に移動することにより、第１積層体５２と第２積層体５４とが離間した何も表示しない状態から、例えば図１１に示す第１積層体５２と第２積層体５４とが２／３重複した状態等を経て、第１積層体５２と第２積層体５４とを完全に重複して積層することで、画像を変化させつつ、図１０に示すような完成した市松模様状の円筒の画像を表示することもできる。
また、表示部材１０と同様、第１積層体５２と第２積層体５４とが完全に重複した状態から、両積層体の重複量を、徐々に少なくすることで、完成した市松模様状の画像から、画像を変化させつつ、第１積層体５２と第２積層体５４とが完全に離間した、何も表示しない状態にすることも可能である。
【００６８】
前述のように、表示部材５０では、第１積層体５２と第２積層体５４とを積層した状態において、第１偏光板２４および第２偏光板３２の外側に位置するパターン位相差膜は、画像表示には全く作用せず、第１偏光板２４および第２偏光板３２の内側に位置するパターン位相差膜のみが、画像の表示に作用する。
すなわち、図９に示す状態では、第１偏光板２４および第２偏光板３２の内側に位置する第３パターン位相差膜５８および第４パターン位相差膜６０のみが画像の表示に作用し、両偏光板の外側に位置する第１パターン位相差膜２０および第２パターン位相差膜３０は、画像の表示には、作用しない。
従って、例えは、第１積層体５２と第２積層体５４とをｚ方向に入れ換えて、または、第１積層体５２および第２積層体５４を表裏反転して、第１パターン位相差膜２０および第２パターン位相差膜３０を第１偏光板２４および第２偏光板３２の内側に位置し、第３パターン位相差膜５８および第４パターン位相差膜６０を両偏光板の外側に位置させることにより、第１偏光板２４および第２偏光板３２の内側に位置する第１パターン位相差膜２０および第２パターン位相差膜３０のみを画像の表示に作用させて、先と同様にして、図４に示す市松模様の球を表示することができる。
【００６９】
すなわち、図９に示す、積層体が偏光板を挟んで２枚のパターン位相差膜を有する構成では、第１積層体および第２積層体のいずれかを表裏反転することで、あるいは、第１積層体および第２積層体の両者を表裏反転することで、２種以上の画像を表示することが可能である。
【００７０】
前述の表示部材１０と同様、表示部材５０も、第１積層体５２と第２積層体５４とを完全に重複して積層した状態ではなく、第１積層体５２と第２積層体５４とがズレて積層した状態で、完成した画像を表示するようにしてもよい。
また、表示部材５０では、一方の画像は、第１積層体５２と第２積層体５４とを完全に重複して積層した状態で完成した画像を表示し、他方の画像は、第１積層体５２と第２積層体５４とがズレて積層した状態で、完成した画像を表示するようにしてもよい。
【００７１】
以上の表示部材１０および表示部材５０は、第１偏光板２４と第２偏光板３２との透過軸が直交していたが、本発明は、これに限定はされない。
例えば、第１偏光板２４と第２偏光板３２との透過軸が平行であってもよい。この場合には、例えば、表示部材１０では遮光されて黒の表示となった領域が透明の表示となり、表示部材１０では透明となった領域が遮光されて黒の表示となる。
【００７２】
前述のように、第１積層体および第２積層体は、支持体（透明支持体）、パターン位相差膜、および、偏光板を有して構成される。
【００７３】
＜支持体＞
支持体（第１支持体１８、第２支持体２８）は、パターン位相差膜および偏光板を支持するものである。支持体は、好ましい態様として設けられるものであり、支持体を有することで、第１積層体および第２積層体の機械的強度を向上できる。
【００７４】
支持体の形成材料は、特に制限はされず、透明な支持体を形成可能なものであれば、各種の材料が利用可能である。
具体的には、ポリカーボネート系ポリマー、ポリエチレンテレフタレートおよびポリエチレンナフタレート等のポリエステル系ポリマー、ポリメチルメタクリレート等の（メタ）アクリル系ポリマー、ポリスチレンおよびアクリロニトリル・スチレン共重合体（ＡＳ樹脂）等のスチレン系ポリマー、ポリエチレン、ポリプロピレン、エチレン・プロピレン共重合体等のポリオレフィン系ポリマー、塩化ビニル系ポリマー、ナイロンおよび芳香族ポリアミド等のアミド系ポリマー、イミド系ポリ交差領域ルホン系ポリマー、ポリエーテルスルホン系ポリマー、ポリエーテルエーテルケトン系ポリマー、ポリフェニレンスルフィド系ポリマー、塩化ビニリデン系ポリマー、ビニルアルコール系ポリマー、ビニルブチラール系ポリマー、アリレート系ポリマー、ポリオキシメチレン系ポリマー、ならびに、エポキシ系ポリマーなどが挙げられる。
【００７５】
また、支持体の形成材料としては、熱可塑性ノルボルネン系樹脂を好ましく用いることができる。熱可塑性ノルボルネン系樹脂としては、日本ゼオン社製のゼオネックス、ゼオノア、ＪＳＲ社製のアートン等が挙げられる。
また、支持体を形成する材料としては、トリアセチルセルロース（ＴＡＣ）に代表される、セルロース系ポリマーも好ましく用いることができる。
【００７６】
支持体の厚さは特に制限されないが、第１積層体および第２積層体を薄くできる点で、１５〜１００μｍが好ましく、２０〜８０μｍがより好ましく、４０〜６０μｍが特に好ましい。
また、支持体は、面内位相差が小さい方が好ましい。具体的には、支持体は、レタデーション値（Ｒｅ値）が２０ｎｍ以下であるのが好ましく、１０ｎｍ以下であるのがより好ましい。
【００７７】
＜パターン位相差膜＞
パターン位相差膜（第１パターン位相差膜２０、第２パターン位相差膜３０、第３パターン位相差膜５８および第４パターン位相差膜６０）を形成する材料は、上述した特性を示す材料であれば、特に制限されず、公知の各種の材料が利用可能である。
パターン位相差膜の形成材料としては、例えば、液晶性化合物が挙げられる。より具体的には、低分子液晶性化合物を液晶状態においてネマチック配向に形成後、光架橋および熱架橋等によって固定化して得られる位相差膜（光学異方性層）、高分子液晶性化合物を液晶状態においてネマチック配向に形成後、冷却することによって配向を固定化して得られる位相差膜（光学異方性層）を用いることもできる。
【００７８】
一般的に、液晶性化合物はその形状から、棒状タイプ（棒状液晶性化合物）と円盤状タイプ（ディスコティック液晶性化合物）に分類できる。さらにそれぞれ低分子タイプと高分子タイプがある。高分子とは一般に重合度が１００以上のものを指す（高分子物理・相転移ダイナミクス，土井 正男 著，２頁，岩波書店，１９９２）。本発明では、いずれの液晶性化合物を用いることもできる。２種以上の棒状液晶性化合物、２種以上のディスコティック液晶性化合物、または、棒状液晶性化合物とディスコティック液晶性化合物との混合物を用いてもよい。
なお、棒状液晶性化合物としては、例えば、特表平１１−５１３０１９号公報の請求項１および特開２００５−２８９９８０号公報の段落［００２６］〜［００９８］等に記載のものを好ましく用いることができる。ディスコティック液晶性化合物としては、例えば、特開２００７−１０８７３２号公報の段落［００２０］〜［００６７］および特開２０１０−２４４０３８号公報の段落［００１３］〜［０１０８］等に記載のものを好ましく用いることができる。なお、本発明において、液晶性化合物は、これらに限定されない。
また、色味を抑制する観点からは、逆波長分散性の液晶性化合物を用いるのが好ましく、例えば、特開２０１６−８１０３５号公報に記載の化合物を用いるのも好ましい。
パターン位相差膜は、温度変化および／または湿度変化を小さくできることから、重合性基を有する液晶性化合物（棒状液晶性化合物またはディスコティック液晶性化合物）を用いて形成することがより好ましい。液晶性化合物は２種類以上の混合物でもよく、その場合少なくとも１つが２以上の重合性基を有していることが好ましい。
つまり、パターン位相差膜は、重合性基を有する棒状液晶性化合物またはディスコティック液晶性化合物が重合等によって固定されて形成された層であることが好ましく、この場合、層となった後はもはや液晶性を示す必要はない。
ディスコティック液晶性化合物および棒状液晶性化合物に含まれる重合性基の種類は特に制限されず、付加重合反応が可能な官能基が好ましく、重合性エチレン性不飽和基または環重合性基が好ましい。より具体的には、（メタ）アクリロイル基、ビニル基、スチリル基、アリル基等が好ましく挙げられ、（メタ）アクリロイル基がより好ましい。
【００７９】
なお、パターン位相差膜は、単層膜でも、複数層を積層した積層膜でもよい。
【００８０】
パターン位相差膜の形成方法は、特に制限されないが、例えば、液晶性化合物を用いてパターン位相差膜を形成する際には、液晶性化合物の分子を所望の配向状態にするための配向膜を利用する技術が一般的である。
配向膜としては、ポリマー等の有機化合物からなるラビング処理膜、無機化合物の斜方蒸着膜、マイクログルーブを有する膜、ω−トリコサン酸、ジオクタデシルメチルアンモニウムクロライド、ステアリル酸メチルの如き有機化合物のラングミュア・ブロジェット法によるＬＢ（ラングミュア・ブロジェット）膜を累積させた膜など、公知の各種のものが利用可能である。配向膜に使用するポリマーの種類は、ポリイミド、ポリビニルアルコール、特開平９−１５２５０９号公報に記載された重合性基を有するポリマー等が例示される。
【００８１】
本発明においては、配向膜は、光配向性の素材（光配向材料）を含む膜（光配向膜形成用膜）に光（例えば、偏光または非偏光）を照射して配向膜とした、いわゆる光配向膜を用いるのが好ましい。
例えば、支持体上に、光配向材料を塗布して、マスクを介して所定の照射処理を施して、光配向膜を作製してもよい。偏光の照射は、光配向膜形成用膜に対して、垂直方向または斜め方向から行うことができ、非偏光の照射は、光配向膜形成用膜に対して、斜め方向から行うことができる。
【００８２】
本発明に利用可能な光配向材料としては、多数の文献等に記載がある。例えば、特開２００６−２８５１９７号公報、特開２００７−７６８３９号公報、特開２００７−１３８１３８号公報、特開２００７−９４０７１号公報、特開２００７−１２１７２１号公報、特開２００７−１４０４６５号公報、特開２００７−１５６４３９号公報、特開２００７−１３３１８４号公報、特開２００９−１０９８３１号公報、特許第３８８３８４８号公報、特許第４１５１７４６号公報に記載のアゾ化合物、特開２００２−２２９０３９号公報に記載の芳香族エステル化合物、特開２００２−２６５５４１号公報、特開２００２−３１７０１３号公報に記載の光配向性単位を有するマレイミドおよび／またはアルケニル置換ナジイミド化合物、特許第４２０５１９５号公報、特許第４２０５１９８号公報に記載の光架橋性シラン誘導体、特表２００３−５２０８７８号公報、特表２００４−５２９２２０号公報、特許第４１６２８５０号公報に記載の光架橋性ポリイミド、ポリアミド、またはエステル、特開平９−１１８７１７号公報、特表平１０−５０６４２０号公報、特表２００３−５０５５６１号公報、ＷＯ２０１０/１５０７４８号公報、特開２０１３−１７７５６１号公報、特開２０１４−１２８２３号公報に記載の光二量化可能な化合物、特にシンナメート化合物、カルコン化合物、クマリン化合物が好ましい例として挙げられる。特に好ましくは、アゾ化合物、光架橋性ポリイミド、ポリアミド、エステル、シンナメート化合物、カルコン化合物である。
【００８３】
配向膜の厚さは、配向機能を提供できればよく、０．０１〜５μｍが好ましく、０．０５〜２μｍがより好ましい。
【００８４】
パターン位相差膜は、公知の方法で形成すればよい。
一例として、第１パターン位相差膜２０を、光配向膜を利用して形成する場合には、まず、第１支持体１８、および、光配向材料を含有する光配向膜となる塗布液（光配向膜用塗布液）を用意する。一例として、第１支持体１８は、僅かな位相差を有する。
第１支持体１８の一面に、光配向膜用塗布液を塗布、乾燥することで、光配向膜用塗布液の塗膜を形成する。光配向膜用塗布液の塗布は、バーコート法およびスピンコート法等の公知の方法で行えばよい。
【００８５】
次いで、光配向膜用塗布液の塗膜に、第１支持体１８の遅相軸をｙ方向として、遅相軸と平行な直線偏光を照射して、塗膜の全面をｙ方向に配向する。直線偏光の照射は、光源とワイヤーグリッド偏光板を用いる方法等、公知の方法で行えばよい。
次いで、パターン領域に応じて予め作成した図１２の左側に示すマスク６４（黒で示す領域が遮光領域）を、マスク６４におけるｙ方向（上下方向）と、第１支持体１８の遅相軸とを一致して、設置する。この状態で、マスク６４を介して、先に照射した直線偏光と直交する直線偏光すなわちｘ方向の直線偏光を、塗膜に照射する。
これにより、第１支持体１８の上に、パターン領域２０ｘ−１〜２０ｘ−３に対応する領域をｘ方向に配向し、パターン領域２０ｙ−１〜２０ｙ−３に対応する領域をｙ方向に配向した、光配向膜を形成する。
【００８６】
一方で、重合性液晶性化合物等を含有する、第１パターン位相差膜２０を形成するための位相差膜用塗布液を調製する。
その後、先に形成した光配向膜の表面に、位相差膜用塗布液を塗布する。位相差膜用塗布液の塗布も、先と同様、公知の方法で行えばよい。
さらに、必要に応じて塗布した位相差膜用塗布液を乾燥し、位相差膜用塗布液の塗膜に紫外線を照射して、位相差膜用塗布液を硬化する。これにより、ｘ方向に遅相軸を有するパターン領域２０ｘ−１〜２０ｘ−３、および、ｙ方向に遅相軸を有するパターン領域２０ｙ−１〜２０ｙ−３が形成された、図２に示すような、第１支持体１８に支持された第１パターン位相差膜２０を形成できる。
【００８７】
また、光配向膜を用いないパターン位相差膜の作製方法として、特開２０１２−３２６６１号公報および／または特開２０１２−１５０４２８号公報に記載される方法を用いることも可能である。
【００８８】
＜偏光板＞
偏光板（第１偏光板２４および第２偏光板３２）としては、自然光を特定の直線偏光に変換する機能を有するいわゆる直線偏光板が用いられる。
一例として、吸収型の直線偏光板が例示される。
吸収型の直線偏光板の種類は特に制限はなく、公知の吸収型偏光板を用いることができ、例えば、ヨウ素系偏光膜、二色性染料（二色性有機染料）を利用した染料系偏光膜、および、ポリエン系偏光膜のいずれも用いることができる。ヨウ素系偏光膜、および、染料系偏光膜は、一般に、ポリビニルアルコールにヨウ素または二色性染料を吸着させ、延伸することで作製される。
【００８９】
また、偏光板は、吸収型の直線偏光板以外にも、反射型の直線偏光板を用いてもよい。
反射型の直線偏光板としては、公知のものを使用することができ、例えば、複屈折の異なる薄膜を積層した偏光板、および、ワイヤーグリッド型偏光板等が使用される。複屈折の異なる薄膜を積層した偏光板としては、例えば、特表平９−５０６８３７号公報等に記載されたもの、および、３Ｍ社製の商品名：ＤＢＥＦ等の市販品が例示される。ワイヤーグリッド型偏光板としては、例えば、エドモンドオプティクス社製のワイヤーグリッド偏光フィルター５０×５０、ＮＴ４６−６３６等の市販品が例示される。
なお、反射型の直線偏光板とは、入射光のうち、第１の方向の偏光成分を透過し、第１の方向と直交する方向の偏光成分を反射する性質を持つ。つまり、偏光板の片側から非偏光が入射された時、他方側から直線偏光が得られる。
【００９０】
本発明の表示部材において、偏光板は、基本的に、可視光を透過または反射する。さらに、必要に応じて、紫外線および／または赤外線を透過または反射してもよい。
なお、赤外線（赤外光）は可視光線より長く電波より短い波長域電磁波である。近赤外線とは一般的に７５０ｎｍ超２５００ｎｍ以下の波長域の電磁波である。可視光線は電磁波のうち、ヒトの目で見える波長の光であり、３８０〜７５０ｎｍの波長域の光を示す。紫外線（紫外光）は、可視光線より短くＸ線より長い波長域電磁波である。紫外線は可視光線およびＸ線と区別される波長域の光であればよく、例えば、波長１０ｎｍ以上３８０ｎｍ未満の範囲の光である。
【００９１】
このような偏光板は、光学透明接着剤（ＯＣＡ（Optical Clear Adhesive））、光学透明両面テープ、紫外線硬化型樹脂等、光学装置および光学素子でシート状物の貼り合わせに用いられる公知の貼着剤を用いて、パターン位相差膜に貼着すればよい。
すなわち、第１積層体および第２積層体は、一例として、前述のように支持体の一面にパターン位相差膜を形成した後、貼着剤によってパターン位相差膜に偏光板を貼着することで、作成できる。
【００９２】
以上、本発明の表示部材について詳細に説明したが、本発明は、上述の構成に限定はされず、本発明の要旨を逸脱しない範囲において、各種の改良および偏光等を行ってもよいのは、もちろんである。
【実施例】
【００９３】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。【００９４】
以下の支持体、光配向膜用塗布液、位相差膜用塗布液、および、偏光板を用意した。
＜支持体＞
第１支持体１８および第２支持体２８として、市販のＴＡＣフィルム（富士フイルム社製、ＴＤ８０ＵＬ）を用意した。
＜光配向膜用塗布液＞
特開２０１２−１５５３０８号公報の実施例３の記載を参考に、光配向膜用塗布液を調製した。
＜位相差膜用塗布液＞
以下の組成を有する位相差膜用塗布液を調製した。
位相差膜用塗布液
・下記の重合性液晶１                          ８０．０質量部
・下記の重合性液晶２                          ２０．０質量部
・重合開始剤（IRGACURE 819、ＢＡＳＦ社製）      ４．０質量部
・下記の空気界面配向剤１                        ０．１質量部
・メチルエチルケトン                        ４１６．４質量部【００９５】
【化１】
0006719591.tif 000002
＜偏光板＞
第１偏光板２４および第２偏光板３２として、サンリツ社製の偏光板ＨＣＬ２−５６１８を用意した。【００９６】
［実施例１］
［第１積層体１２の作製］
＜パターン化光配向膜Ａの形成＞
第１支持体１８の一面に、光配向膜用塗布液をバーコート法で塗布し、光配向膜用塗布液の塗膜を形成した。
形成した塗膜の全面に、第１支持体１８の遅相軸（破線）と平行な直線偏光（ｙ方向の直線偏光）を１００ｍＪ／ｃｍ2（３１３ｎｍ換算）、照射した（１回目の露光）。
次いで、予め作製した図１２の左側に概念的に示すマスク６４を、マスクの上下方向（ｙ方向）と第１支持体１８の遅相軸とを平行にして設置した。マスク６４は、図中に黒で示す領域が遮光される領域である。この点に関しては、他のマスクも同様である。
その後、塗膜に、マスク６４を介して、１回目の露光と直交する直線偏光すなわちｘ方向の直線偏光を、５００ｍＪ／ｃｍ2（３１３ｎｍ換算）、照射（２回目の露光）して、パターン化光配向膜Ａを形成した。
なお、直線偏光の照射は、７５０Ｗの超高圧水銀ランプ、および、偏光子としてワイヤーグリッド偏光板を用いて行った。この直線偏光の照射に関しては、他のパターン化光配向膜の形成においても、同様である。【００９７】
＜第１パターン位相差膜２０の形成＞
形成したパターン化光配向膜Ａの表面に、ワイヤーバー（＃３）を用いて、調製した位相差膜用塗布液を塗布し、塗膜を形成した。塗膜を有する第１支持体１８を９０℃で１分、乾燥した後に、７５０Ｗの超高圧水銀ランプを用いて、窒素下、６０℃で、３００ｍＪ／ｃｍ2（３１３ｎｍ換算）の光を形成した塗膜に照射して、図２に示すような第１パターン位相差膜２０を形成した。
第１パターン位相差膜２０の各パターン領域のＲｅ（５５０）を測定した。その結果、パターン化光配向膜Ａの作製において、１回目の露光のみ光を照射されたパターン領域２０ｙ−１〜２０ｙ−３（２回目の露光ではマスク６４で遮光された領域）のＲｅ（５５０）は１２３ｎｍで、１回目および２回目の露光共に光を照射されたパターン領域２０ｘ−１〜２０ｘ−３（２回目の露光でマスク６４で遮光されなかった領域）のＲｅ（５５０）は１２３ｎｍであった。
また、パターン領域２０ｙ−１〜２０ｙ−３の遅相軸はｙ方向（矢印ａ１ｘ）、パターン領域２０ｘ−１〜２０ｘ−３の遅相軸はｘ方向（矢印ａ１ｙ）で、両領域の遅相軸は直交していた。【００９８】
＜第１積層体１２の作製＞
第１偏光板に対して、第１パターン位相差膜２０が内側になるように、粘着剤（美舘イメージング社製、ＭＣＳ７０）を用いて、第１偏光板２４と、第１パターン位相差膜２０を形成した第１支持体１８とを貼着して、図１および図２に示すような第１積層体１２を作製した。
なお、この際において、第１偏光板２４側から見た第１パターン位相差膜２０の１回目の露光のみ行われたパターン領域２０ｙ−１〜２０ｙ−３の遅相軸が、第１偏光板２４の透過軸（矢印ｔ１）に対して時計回りに４５°傾くように貼着を行い、第１積層体１２を作製した（すなわち、第１偏光板２４の透過軸は−４５°）。【００９９】
［第２積層体１４の作製］
＜パターン化光配向膜Ｂの形成＞
第２支持体２８の一面に、パターン化光配向膜Ａの形成と同様に、光配向膜用塗布液の塗膜を形成した。
形成した塗膜の全面に、第２支持体２８の遅相軸（破線（ｘ方向））と直交する直線偏光（ｙ方向の直線偏光）を１００ｍＪ／ｃｍ2（３１３ｎｍ換算）、照射した（１回目の露光）。
次いで、予め作製した図１２の右側に概念的に示すマスク６８を、マスク６８の上下方向（ｙ方向）と第１支持体１８の遅相軸とが直交するように設置した。その後、塗膜に、マスク６８を介して、１回目の露光と直交する直線偏光（ｘ方向）の直線偏光を、５００ｍＪ／ｃｍ2（３１３ｎｍ換算）、照射（２回目の露光）して、パターン化光配向膜Ｂを形成した。【０１００】
＜第２パターン位相差膜３０の形成および第２積層体１４の作製＞
パターン化光配向膜Ｂを形成した第２支持体２８を用いた以外は、第１パターン位相差膜２０と同様に位相差膜を形成することにより、図２に示すような第２パターン位相差膜３０を形成した。
第２パターン位相差膜３０の各パターン領域のＲｅ（５５０）を測定した。その結果、パターン化光配向膜Ｂの作製において、１回目の露光のみ光を照射されたパターン領域３０ｙ−１〜３０ｙ−３（２回目の露光ではマスク６８で遮光された領域）のＲｅ（５５０）は１２３ｎｍで、１回目および２回目の露光共に光を照射されたパターン領域３０ｘ−１（２回目の露光でマスク６８で遮光されなかった領域）のＲｅ（５５０）は１２３ｎｍであった。
また、パターン領域３０ｙ−１〜３０ｙ−３の遅相軸（矢印ａ２ｙ）はｙ方向、パターン領域３０ｘ−１の遅相軸はｘ方向（矢印ａ２ｘ）で、両領域の遅相軸は直交していた。
この第２パターン位相差膜３０に対して、第１積層体１２と同様に、第２偏光板３２を貼着することにより、図２に示すような第２積層体１４を作製した（第２偏光板３２の透過軸は＋４５°）。【０１０１】
［表示部材１０の作製］
第１積層体１２の第１偏光板２４面を、先と同様の粘着剤を用いてガラス板に貼着して、第１積層体１２をガラス板に貼着した第１ガラス部材を作製した。他方、第２積層体１４の第２偏光板３２面を、先と同様の粘着剤を用いてガラス板に貼着して、第２積層体１４をガラス板に貼着した第２ガラス部材を作製した。
第１ガラス部材と第２ガラス部材とを、互いの偏光板の透過軸（矢印ｔ１およびｔ２）が直交するようにして、１ｃｍの間隔（ｚ方向）を開けて設置することで、ガラス板を有さない以外は、図１および図２に示すような表示部材１０を作製した。【０１０２】
第１積層体１２と第２積層体１４とが重複していない状態（図５）から、第１ガラス部材と第２ガラス部材とを面方向に相対的に移動して、徐々に、第１ガラス部材と第２ガラス部材とを重複させて行った。
第１ガラス部材側から観察した結果、当初は、何も表示されてなかったが、第１積層体１２と第２積層体１４との重複に応じて画像が表示され、重複量の増加に応じて図６〜図７に示すように表示する画像が変化していき、第１積層体１２と第２積層体１４とが完全に重複した時点で、図４に示されるような、市松模様の球体の画像が表示された。また、斜め方向から観察した際には、視差による奥行き感のような視覚効果が生じていた。【０１０３】
［実施例２］
［第１積層体５２の作製］
＜パターン化光配向膜Ｃの形成＞
２枚目の第１支持体１８の一面に、パターン化光配向膜Ａの形成と同様に、光配向膜用塗布液の塗膜を形成した。
マスクを、予め作製した図１３の右側に概念的に示すマスク７２に変更した以外は、パターン化光配向膜Ａと同様にして、パターン化光配向膜Ｃを形成した。この際において、マスク７２の上下方向（ｙ方向）は、２枚目の第１支持体１８の遅相軸（破線）と直交するようにした。【０１０４】
＜第３パターン位相差膜５８の形成＞
このパターン化光配向膜Ｃを用いた以外は、第１パターン位相差膜２０と同様に位相差膜を形成することにより、図９に示すような第３パターン位相差膜５８を形成した。
第３パターン位相差膜５８の各パターン領域のＲｅ（５５０）を測定した。その結果、パターン化光配向膜Ｃの作製において、１回目の露光のみ光を照射されたパターン領域５８ｙ−１〜５８ｙ−３（２回目の露光ではマスク７２で遮光された領域）のＲｅ（５５０）は１２３ｎｍ、１回目および２回目の露光共に光を照射されたパターン領域５８ｘ−１（２回目の露光でマスク７２で遮光されなかった領域）のＲｅ（５５０）は１２３ｎｍであった。
また、パターン領域５８ｙ−１〜５８ｙ−３の遅相軸（矢印ａ３ｙ）はｙ方向、パターン領域５８ｘ−１の遅相軸はｘ方向（矢印ａ３ｘ）で、両領域の遅相軸は直交していた。【０１０５】
＜第１積層体５２の作製＞
実施例１と同様の第１積層体１２の第１偏光板２４に対して、第３パターン位相差膜５８が内側になるように、先と同じ粘着剤を用いて、第１積層体１２と、第３パターン位相差膜５８を形成した２枚目の第１支持体１８とを貼着して、図９に示すような第１積層体５２を作製した。
この際において、１枚目の第１支持体１８の遅相軸（破線）と、２枚目の第１支持体１８の遅相軸（破線）とが直交するように、貼着を行った。【０１０６】
［第２積層体５４の作製］
＜パターン化光配向膜Ｄの形成＞
２枚目の第２支持体２８の一面に、パターン化光配向膜Ａの形成と同様に、光配向膜用塗布液の塗膜を形成した。
マスクを、予め作製した図１３の左側に概念的に示すマスク７０に変更した以外は、パターン化光配向膜Ａと同様にして、パターン化光配向膜Ｃを形成した。この際において、マスク７０の上下方向（ｙ方向）は、２枚目の第２支持体２８の遅相軸（破線）と平行になるようにした。【０１０７】
＜第４パターン位相差膜６０の形成＞
このパターン化光配向膜Ｄを用いた以外は、第１パターン位相差膜２０と同様に位相差膜を形成することにより、図９に示すような第４パターン位相差膜６０を形成した。
第４パターン位相差膜６０の各パターン領域のＲｅ（５５０）を測定した。その結果、パターン化光配向膜Ｄの作製において、１回目の露光のみ光を照射されたパターン領域６０ｙ−１〜６０ｙ−３（２回目の露光ではマスク７０で遮光された領域）のＲｅ（５５０）は１２３ｎｍ、１回目および２回目の露光共に光を照射されたパターン領域６０ｘ−１（２回目の露光でマスク７０で遮光されなかった領域）のＲｅ（５５０）は１２３ｎｍであった。
また、パターン領域６０ｙ−１〜６０ｙ−３の遅相軸（矢印ａ４ｙ）はｙ方向、パターン領域６０ｘ−１の遅相軸はｘ方向（矢印ａ４ｘ）で、両領域の遅相軸は直交していた。【０１０８】
＜第２積層体５４の作製＞
実施例１と同様の第２積層体１４の第２偏光板３２に対して、第４パターン位相差膜６０が内側になるように、先と同じ粘着剤を用いて、第２積層体１４と、第４パターン位相差膜６０を形成した２枚目の第２支持体２８とを貼着して、図９に示すような第２積層体５４を作製した。
この際において、１枚目の第１支持体１８の遅相軸（破線）と、２枚目の第１支持体１８の遅相軸（破線）とが直交するように、貼着を行った。【０１０９】
［表示部材５０の作製］
第１パターン位相差膜２０および第３パターン位相差膜５８を有する第１積層体５２と、第２パターン位相差膜３０および第４パターン位相差膜６０を有する第２積層体５４とを、１ｃｍの間隔（ｚ方向）を開けて設置することで、図８および図９に示すような表示部材５０を作製した。
この際において、第１積層体５２および第２積層体５４は、図９に示すように、第３パターン位相差膜５８および第４パターン位相差膜６０が、第１偏光板２４と第２偏光板３２との間に位置し、かつ、第１偏光板２４の透過軸（矢印ｔ１）と第２偏光板３２の透過軸（矢印ｔ２）とが直交するように配置した。【０１１０】
第１積層体５２と第２積層体５４とが重複していない状態（図５参照）から、第１積層体５２と第２積層体５４とを面方向に相対的に移動して、徐々に、重複させて行った。
第１積層体５２側から観察した結果、当初は、何も表示されてなかったが、第１積層体５２と第２積層体５４との重複に応じて画像が表示され、画像が変化しつつ、図１１に示す両積層体が２／３重複した状態を経て、第１積層体５２と第２積層体５４とが完全に重複した時点で、図１０に示されるような、市松模様の円筒の画像が表示された。また、斜め方向から観察した際には、視差による奥行き感のような視覚効果が生じていた。【０１１１】
また、第１積層体５２と第２積層体５４とを積層方向（ｚ方向）に入れ換えて、第１パターン位相差膜２０および第２パターン位相差膜３０が、第１偏光板２４と第２偏光板３２との間に位置するようにした。この状態で、同様に、両積層体を離間した状態から完全に重複する状態まで移動した。その結果、実施例１の表示部材１０と同様に、何も表示されない図５に示すような状態から、図６〜図７に示すように表示する画像が変化していき、第１積層体５２と第２積層体５４とが完全に重複した時点で、図４に示されるような、市松模様の球体の画像が表示された。これにより、表示部材５０によれば、異なる２種の画像が表示できることが確認できた。
以上の結果より、本発明の効果は明らかである。
【符号の説明】
【０１１２】
１０，５０  表示部材
１２，５２  第１積層体
１４，５４  第２積層体
１８  第１支持体
２０  第１パターン位相差膜
２４  第１偏光板
２８  第２支持体
３０  第２パターン位相差膜
３２  第２偏光板
５８  第３パターン位相差膜
６０  第４パターン位相差膜
６４，６８，７０，７２  マスク
２０ｘ−１〜２０ｘ−３，２０ｙ−１〜２０ｙ−３，３０ｘ−１，３０ｙ−１〜３０ｙ−３，５８ｘ−１，５８ｙ−１〜５８ｙ−３，６０ｘ−１，６０ｙ−１〜６０ｙ−３  パターン領域
ａ１ｘ，ａ１ｙ，ａ２ｘ，ａ２ｙ，ａ３ｘ，ａ３ｙ，ａ４ｘ，ａ４ｙ，ｔ１，ｔ１  矢印
【図１】
0006719591.tif 000003
【図２】
0006719591.tif 000004
【図３】
0006719591.tif 000005
【図４】
0006719591.tif 000006
【図５】
0006719591.tif 000007
【図６】
0006719591.tif 000008
【図７】
0006719591.tif 000009
【図８】
0006719591.tif 000010
【図９】
0006719591.tif 000011
【図１０】
0006719591.tif 000012
【図１１】
0006719591.tif 000013
【図１２】
0006719591.tif 000014
【図１３】
0006719591.tif 000015